(57)【特許請求の範囲】
【請求項１】
媒体を収納する媒体収納庫であって、
前記媒体の集積空間を形成するガイド部材と、
液体噴射ノズルから液体を噴射する液体噴射機構と、を有し、
前記液体噴射ノズルは、
前記液体が通流するパイプ部と、
前記パイプ部の延在方向に対して略直角に交差する方向に向けて前記液体を噴射させる第１液体噴射孔と、
前記パイプ部の延在方向に近似する方向に向けて前記液体を噴射させる第２液体噴射孔と、を備え、
前記ガイド部材は、前記集積空間を形成するガイド面を備えており、
前記ガイド面には、前記液体噴射ノズルのパイプ部を埋め込む溝が形成されており、
前記溝の前記第２液体噴射孔付近の内壁面は、前記第２液体噴射孔から噴射された液体を前記集積空間の方向に誘導する液体誘導面として形成されている
ことを特徴とする媒体収納庫。
【請求項２】
請求項１に記載の媒体収納庫において、
前記液体噴射ノズルは、前記パイプ部の端部に装着されたキャップ部を備えており、
前記第１液体噴射孔は、前記パイプ部の側方部分に形成され、
前記第２液体噴射孔は、前記キャップ部の端部部分に形成されている
ことを特徴とする媒体収納庫。
【請求項３】
請求項１又は請求項２に記載の媒体収納庫において、
前記第２液体噴射孔の開口部分は、細長いスリット状に形成されている
ことを特徴とする媒体収納庫。
【請求項４】
請求項１乃至請求項３のいずれか一項に記載の媒体収納庫において、
前記第２液体噴射孔の開口部分の面積は、前記第１液体噴射孔の開口部分の面積と同等である
ことを特徴とする媒体収納庫。
【請求項５】
請求項１乃至請求項４のいずれか一項に記載の媒体収納庫において、
前記第２液体噴射孔は、前記パイプ部の延在方向から見た場合に、前記第１液体噴射孔の前記液体の噴射方向に対して任意の角度で交差する方向に延在するように、配置されている
ことを特徴とする媒体収納庫。
【請求項６】
請求項１乃至請求項５のいずれか一項に記載の媒体収納庫において、
前記液体噴射ノズルは、前記第１液体噴射孔の液体の噴射方向が略水平方向となり、前記第２液体噴射孔の液体の噴射方向が水平方向に対して斜め上方向となるように、前記集積空間の周囲に配置されている
ことを特徴とする媒体収納庫。
【請求項７】
請求項６に記載の媒体収納庫において、
さらに、前記集積空間の近傍に設けられ、かつ、前記媒体を搬送する搬送部材を有し、
前記集積空間の周囲の前記搬送部材の下方に、前記第１液体噴射孔及び前記第２液体噴射孔の双方を備える液体噴射ノズルが配置されているとともに、
前記集積空間の周囲に、少なくとも前記第１液体噴射孔を備える液体噴射ノズルが配置されている
ことを特徴とする媒体収納庫。
【請求項８】
媒体を取り扱う媒体取扱装置であって、
請求項１乃至請求項７のいずれか一項に記載の媒体収納庫を搭載し、かつ、前記媒体収納庫から繰り出された媒体を任意の場所に搬送する搬送機構を有する
ことを特徴とする媒体取扱装置。
【発明の詳細な説明】
【技術分野】
【０００１】
本発明は、媒体収納庫、及び、媒体取扱装置に関し、例えば、破壊や盗難等の犯罪行為（非常事態）の発生時に、液体を噴射して媒体を汚損させる液体噴射機構を有する媒体収納庫、及び、当該媒体収納庫を搭載する媒体取扱装置に関する。
【背景技術】
【０００２】
従来から、媒体を取り扱う媒体取扱装置の一種として、現金を取り扱う現金取扱装置がある。現金取扱装置には、現金取扱装置を破壊して、内部に収納されている媒体（紙幣）を盗む犯罪行為（非常事態）の発生時に、有色液体を媒体（紙幣）に噴射して媒体を汚損させる機能が付与されている。ここで、「汚損」とは、媒体に液体が付着して汚れている状態を意味している。この機能は、例えば、現金取扱装置の内部に収納されている媒体収納庫に、液体噴射ノズルから液体を噴射する液体噴射機構を設けることによって実現している（例えば、特許文献１参照）。
【０００３】
媒体収納庫は、媒体を内部に収納する構成要素である。媒体収納庫は、現金取扱装置から取り外した状態で運搬することができるように、現金取扱装置に対して取り付け及び取り外しが自在なユニットとして構成されている場合が多い。また、媒体収納庫は、媒体を上下方向に集積した状態（積層した状態）で収納する構成になっている場合が多い。
【０００４】
液体噴射機構は、仮に、前記した犯罪行為（非常事態）が発生することがあった場合に、媒体収納庫の内部に収納されている媒体を汚損させて、媒体を使用することが困難な状態にする。これによって、液体噴射機構は、盗まれた媒体が使用されることを防止する。また、液体噴射機構は、仮に、盗まれた媒体が使用されるようなことがあった場合に、盗まれた媒体が使用されたことを発見し易くするとともに、盗まれた媒体を使用した人物を特定し易くし、もって、前記した犯罪行為（非常事態）が再度発生することを抑止する。
【先行技術文献】
【特許文献】
【０００５】
【特許文献１】特開２０１０−５５１３４号公報
【発明の概要】
【発明が解決しようとする課題】
【０００６】
特許文献１に記載された従来の媒体収納庫は、以下に説明するように、媒体を汚損させ難い箇所が存在している、という課題があった。
【０００７】
例えば、従来の媒体収納庫の液体噴射機構は、以下に説明するように、集積空間に集積された媒体（紙幣）に対して、側方から液体を噴射することで、媒体（紙幣）を汚損させる構成になっていた。
【０００８】
具体的には、従来の媒体収納庫は、媒体を集積させる集積空間が内部に形成されている。そして、従来の媒体収納庫の液体噴射機構の液体噴射ノズルは、液体が通流する長尺な中空のパイプ部を備え、パイプ部の側方部分には、液体を噴射させるための複数の液体噴射孔が形成されており、かつ、パイプ部が上下方向に延在するように、集積空間の側方に配置された構成になっていた。
【０００９】
かかる構成において、従来の媒体収納庫の液体噴射機構は、集積空間に集積された媒体（紙幣）を汚損させるときに、パイプ部の各液体噴射孔から側方に向けて液体を噴射する。これにより、従来の媒体収納庫の液体噴射機構は、媒体（紙幣）に対して、側方から液体を噴射していた。
【００１０】
このとき噴射された液体は、パイプ部の各液体噴射孔の側方の位置に集積された媒体（紙幣）を汚損した後、自重で落下して、下方向に流れることによって、各液体噴射孔の側方の位置に集積された媒体（紙幣）と、その位置よりも下方に集積された媒体（紙幣）とを汚損する。
【００１１】
しかしながら、このとき噴射された液体は、パイプ部の各液体噴射孔の側方よりも上方の位置に集積された媒体（紙幣）を汚損しない。特に、媒体収納庫の中には、媒体（紙幣）を搬送する搬送部材が集積空間の周囲の比較的上方の位置に配置された構成になっているものがある。この構成の媒体収納庫は、液体噴射ノズルのパイプ部が搬送部材と干渉しないように設計する必要がある。そのため、この構成の媒体収納庫は、搬送部材の近傍の位置に、液体噴射ノズルのパイプ部を配置することができない。そこで、この構成の媒体収納庫は、搬送部材の近傍の液体噴射ノズルのパイプ部を他の液体噴射ノズルのパイプ部よりも短く形成するとともに、その液体噴射ノズルのパイプ部を下方に寄せて配置した構成になっている。しかしながら、この構成の媒体収納庫は、搬送部材の近傍の液体噴射ノズルが比較的上方の位置に液体を噴射しないため、特に、比較的上方の位置に集積された媒体（紙幣）を汚損させ難かった。
【００１２】
このように、従来の媒体収納庫は、媒体を汚損させ難い箇所が存在していた。そのため、従来の媒体収納庫は、従来の媒体収納庫では汚損させ難い箇所に集積された媒体を含む、収納された全ての媒体に対して広い面積を汚損させることが望まれていた。
【００１３】
本発明は、前記した課題を解決するためになされたものであり、収納された全ての媒体に対して広い面積を汚損させる媒体収納庫、及び、当該媒体収納庫を搭載する媒体取扱装置を提供することを主な目的とする。
【課題を解決するための手段】
【００１４】
前記目的を達成するため、第１発明は、媒体を収納する媒体収納庫であって、前記媒体の集積空間を形成するガイド部材と、液体噴射ノズルから液体を噴射する液体噴射機構と、を有し、前記液体噴射ノズルは、前記液体が通流するパイプ部と、前記パイプ部の延在方向に対して略直角に交差する方向に向けて前記液体を噴射させる第１液体噴射孔と、前記パイプ部の延在方向に近似する方向に向けて前記液体を噴射させる第２液体噴射孔と、を備え、前記ガイド部材は、前記集積空間を形成するガイド面を備えており、前記ガイド面には、前記液体噴射ノズルのパイプ部を埋め込む溝が形成されており、前記溝の前記第２液体噴射孔付近の内壁面は、前記第２液体噴射孔から噴射された液体を前記集積空間の方向に誘導する液体誘導面として形成されている構成とする。
【００１５】
この媒体収納庫の液体噴射機構は、液体噴射ノズルから外部に液体を噴射する。その際に、この媒体収納庫の液体噴射機構は、第１液体噴射孔からパイプ部の延在方向に対して略直角に交差する方向に向けて液体を噴射するとともに、第２液体噴射孔からパイプ部の延在方向に近似する方向に向けて液体を噴射する。これにより、この媒体収納庫は、収納された全ての媒体に対して広い面積を汚損させることができる。
【００１６】
また、第２発明は、媒体を取り扱う媒体取扱装置であって、第１発明に係る媒体収納庫を搭載し、かつ、前記媒体収納庫から繰り出された媒体を任意の場所に搬送する搬送機構を有する構成とする。
【発明の効果】
【００１７】
本発明によれば、収納された全ての媒体に対して広い面積を汚損させることができる。
【図面の簡単な説明】
【００１８】
【図１】実施形態１に係る液体噴射機構を有する媒体収納庫を搭載する現金取扱装置の構成を模式的に示す図である。
【図２】実施形態１に係る液体噴射機構を有する媒体収納庫の構成を示す図である。
【図３】実施形態１に係る液体噴射機構の構成を模式的に示す図（１）である。
【図４】実施形態１に係る液体噴射機構の構成を模式的に示す図（２）である。
【図５Ａ】実施形態１で用いる液体噴射ノズルの全体の構成を示す図である。
【図５Ｂ】実施形態１で用いる液体噴射ノズルの主要部の構成を示す図である。
【図６Ａ】実施形態１で用いる液体噴射ノズルの上端部分の構成を示す図である。
【図６Ｂ】実施形態１で用いる液体噴射ノズルの内部の構成を示す図である。
【図７Ａ】実施形態２に係る媒体収納庫の構成を示す図（１）である。
【図７Ｂ】実施形態２に係る媒体収納庫の構成を示す図（２）である。
【図８】実施形態２に係る媒体収納庫の効果を示す図である。
【図９】変形例に係る液体噴射ノズルの構成を示す図である。
【発明を実施するための形態】
【００１９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２０】
［実施形態１］
＜液体噴射機構を適用する媒体取扱装置の構成＞
以下、図１を参照して、本実施形態１に係る液体噴射機構９を適用する媒体収納庫１２を搭載する媒体取扱装置１の構成につき説明する。図１は、液体噴射機構９を有する媒体収納庫１２を搭載する媒体取扱装置１の構成を模式的に示す図である。
【００２１】
ここでは、液体噴射機構９を適用する媒体取扱装置１が現金取扱装置であり、媒体が紙幣であり、液体がインクである場合を想定して説明する。以下、液体噴射機構９によって噴射される液体を「インク」と称する。現金取扱装置１は、例えば、現金自動預け払い機（ＡＴＭ）やキャッシュディスペンサ（ＣＤ）等である。
【００２２】
図１に示すように、現金取扱装置１は、接客部３、鑑別部４、一時保留部５、リジェクト庫６、振分搬送部７、及び、媒体収納庫１２を有している。
【００２３】
接客部３は、媒体（紙幣）の装置の内部への取り込みや装置の外部への放出を行う構成要素である。
鑑別部４は、媒体の金種や真贋等を鑑別する構成要素である。
一時保留部５は、媒体を一時的に保留する部位である。
リジェクト庫６は、再使用不能な媒体を収納する収納庫である。
振分搬送部７は、媒体を任意の媒体収納庫１２に振り分けながら搬送する機構である。
媒体収納庫１２は、再使用可能な媒体を収納する収納庫である。媒体収納庫１２は、現金取扱装置１に対して装着及び取り外しが自在なユニットとして構成されている。
【００２４】
また、現金取扱装置１は、図示せぬ破壊検知部と図示せぬ制御部とを有している。図示せぬ破壊検知部は、現金取扱装置１が破壊された場合に、破壊されたことを検知して、破壊検知信号を現金取扱装置１の制御部に出力する。これに応答して、現金取扱装置１の制御部は、液体噴射機構９の内部に設けられた後記する図示せぬ液体噴射制御部にインクの噴射命令を出力する。
【００２５】
現金取扱装置１は、主な機能が、媒体の装置の内部への取り込みや装置の外部への放出を行う上部ユニット２と、媒体収納庫１２を保管する下部ユニット８とに分かれている。接客部３、鑑別部４、一時保留部５、及び、リジェクト庫６は、上部ユニット２に設けられている。一方、振分搬送部７、及び、媒体収納庫１２は、下部ユニット８に設けられている。
【００２６】
上部ユニット２と下部ユニット８との間には、受渡ガイド１０が設けられている。受渡ガイド１０は、上部ユニット２と下部ユニット８との間で行われる媒体の受け渡しをガイドする構成要素である。
【００２７】
係る構成において、現金取扱装置１は、媒体収納庫１２に対する不正行為を防止するために、頑丈な金庫１１で媒体収納庫１２の周囲を覆っている。しかしながら、それでも、現金取扱装置１が破壊されて、媒体収納庫１２が盗まれてしまう可能性がある。そこで、媒体収納庫１２には、液体噴射機構９（図３参照）が設けられている。
【００２８】
液体噴射機構９は、現金取扱装置１が破壊される等の犯罪行為（非常事態）の発生を検知すると、媒体収納庫１２の内部に収納されている媒体（紙幣）にインクを噴射して媒体を汚損させる機構である。液体噴射機構９は、非常事態の発生時に、媒体を汚損させることによって、媒体を使用することが困難な状態にする。これにより、液体噴射機構９は、盗まれた媒体が使用されることを防止する。また、液体噴射機構９は、仮に、盗まれた媒体が使用されるようなことがあった場合に、盗まれた媒体が使用されたことを発見し易くするとともに、盗まれた媒体を使用した人物を特定し易くし、もって、前記した犯罪行為（非常事態）が再度発生することを抑止する。
【００２９】
＜液体噴射機構を有する媒体収納庫の構成＞
以下、図２を参照して、本実施形態１に係る液体噴射機構９を有する媒体収納庫１２の構成につき説明する。図２は、液体噴射機構９を有する媒体収納庫１２の構成を示す図である。図２は、左斜め上方向から見た、媒体収納庫１２の正面側の構成を示している。
【００３０】
図２に示すように、媒体収納庫１２は、取っ手部１３、扉１５、及び、鍵１６を有している。
取っ手部１３は、運搬時に運搬者によって把持される構成要素である。
扉１５は、内部の空間を選択的に開放状態又は閉鎖状態にする機構である。
鍵１６は、扉１５を固定する機構である。
【００３１】
媒体収納庫１２の天板の取っ手部１３の近傍には、媒体通過口１４が形成されている。媒体通過口１４は、媒体の収納庫の内部への取り込みや収納庫の外部への放出を行うための開口部である。
【００３２】
媒体収納庫１２の外形は、ほぼ直方体状になっている。媒体収納庫１２は、扉１５の内部の空間に、多数の矩形状の媒体（紙幣）を上下方向に集積した状態（積層した状態）で収納する構成になっている。
【００３３】
また、媒体収納庫１２は、図示せぬ液体噴射制御部と図示せぬ加圧機構とを有している。図示せぬ液体噴射制御部は、現金取扱装置１の制御部からインクの噴射命令を受けた場合に、加圧機構を作動させる。図示せぬ加圧機構は、後記する液体タンク２１（図３参照）に収納されているインクを加圧して、インクを液体タンク２１から後記するパイプ２２（図３参照）に送り出す。
【００３４】
＜液体噴射機構の概略構成＞
以下、図３及び図４を参照して、液体噴射機構９の概略構成につき説明する。図３及び図４は、それぞれ、液体噴射機構９の構成を模式的に示す図である。図３は、図２に示す平面Ａに沿って媒体収納庫１２を切断した切断面を、上方から見た構成を示している。図４は、図２に示す平面Ｂに沿って媒体収納庫１２を切断した切断面の一部分を、左方から見た構成を示している。
【００３５】
ここでは、複数個の同じ構成要素の中で前後左右に配置された構成要素を区別して説明する場合に、前方向に配置された構成要素に対して符号の末尾に「Ｆ」を付し、後方向に配置された構成要素に対して符号の末尾に「Ｒｅ」を付し、右方向に配置された構成要素に対して符号の末尾に「Ｒ」を付し、左方向に配置された構成要素に対して符号の末尾に「Ｌ」を付して説明する。
【００３６】
図３に示すように、媒体収納庫１２は、筺体１９の内部に、ガイド部材１７、液体噴射ノズル１８、ステージ２０、液体タンク（インクタンク）２１、パイプ２２、及び、液体分岐部材２３を有している。
【００３７】
ガイド部材１７は、ステージ２０の上面に集積される各媒体の側辺に当接する部材である。
液体噴射ノズル１８は、インクを噴射するノズルである。
ステージ２０は、上面に媒体が集積される部材である。
液体タンク（インクタンク）２１は、インクを予め収納している収納部である。
パイプ２２は、内部にインクを流れさせて各部に配送する液体配送部材である。
液体分岐部材２３は、インクの流れの方向を分岐させる部材である。
【００３８】
媒体収納庫１２の筺体１９の断面形状は、上方視において、左右方向を長手方向とし、前後方向を短手方向とする、矩形状になっている。
【００３９】
媒体収納庫１２の内部には、ステージ２０が配置されている。ステージ２０の形状は、上方視において、左右方向を長手方向とし、前後方向を短手方向とする、矩形状になっている。ステージ２０の上面は、平坦面状に形成されており、媒体が上に集積される。ステージ２０は、図示せぬ駆動手段によって上下方向に移動可能であり、ステージ２０の上面に媒体が集積されるにつれて下降する構成になっている。
【００４０】
ステージ２０の周囲には、４つのガイド部材１７が配置されている。具体的には、ガイド部材１７Ｆがステージ２０の前方に配置されており、ガイド部材１７Ｒｅがステージ２０の後方に配置されており、ガイド部材１７Ｒがステージ２０の右方に配置されており、ガイド部材１７Ｌがステージ２０の左方に配置されている。
【００４１】
したがって、ガイド部材１７Ｆ，１７Ｒｅは、ステージ２０の長手方向側辺（すなわち、ステージ２０の上面に集積される媒体の長手方向側辺）に対向している。一方、ガイド部材１７Ｒ，１７Ｌは、ステージ２０の短手方向側辺（すなわち、ステージ２０の上面に集積される媒体の短手方向側辺）に対向している。
【００４２】
各ガイド部材１７のステージ２０に対向する内壁面は、平坦面状に形成されている。この内壁面は、媒体をステージ２０の上面に集積させる際に、媒体の側辺に当接して、媒体を整列させる媒体ガイド面として機能する。各ガイド部材１７は、それぞれの内壁面（媒体ガイド面）が上下方向（鉛直方向）に延在するように、配置されている。
【００４３】
４つのガイド部材１７Ｆ，１７Ｒｅ，１７Ｒ，１７Ｌのうち、後方のガイド部材１７Ｒｅは、筺体１９の内部の所定の位置に固定設置されている。そのため、ガイド部材１７Ｒｅは、媒体をステージ２０の上面に集積させる際に、媒体を前後方向の所定位置に集積させる基準の部材として機能する。
【００４４】
一方、他のガイド部材１７Ｆ，１７Ｒ，１７Ｌは、ステージ２０のそれぞれに対向する側辺に対して、近接方向又は離間方向に移動可能な構成になっている。媒体収納庫１２は、４つのガイド部材１７Ｆ，１７Ｒｅ，１７Ｒ，１７Ｌによって囲まれた空間２４に媒体を集積する構成になっている。以下、空間２４を「集積空間２４」と称する。集積空間２４は、ガイド部材１７Ｆ，１７Ｒ，１７Ｌを最も外側に移動させたとき（ステージ２０の側辺から離間方向に移動させたとき）に、最大になる。
【００４５】
なお、前方のガイド部材１７Ｆは、扉１５（図２参照）の裏側に設けられている。扉１５は、扉１５そのものを前方のガイド部材１７Ｆとして構成することができる。また、扉１５は、ビルストッパを備える構成にすることもできる。
【００４６】
また、ステージ２０の周囲には、１対１又はｎ対１（ただし、ｎは２以上の整数）の関係でステージ２０の上面に集積された媒体の少なくとも３つの側辺と対向するように、３本以上の液体噴射ノズル１８が設けられている。ここでは、ステージ２０の周囲には、３つの液体噴射ノズル１８が、上下方向に延在するように、配置されているものとして説明する。具体的には、液体噴射ノズル１８Ｒｅがステージ２０の後方に配置されており、液体噴射ノズル１８Ｒがステージ２０の右方に配置されており、液体噴射ノズル１８Ｌがステージ２０の左方に配置されているものとして説明する。
【００４７】
したがって、液体噴射ノズル１８Ｒｅは、ステージ２０の長手方向側辺（すなわち、ステージ２０の上面に集積された媒体の長手方向側辺）に対向している。一方、液体噴射ノズル１８Ｒ，１８Ｌは、ステージ２０の短手方向側辺（すなわち、ステージ２０の上面に集積された媒体の短手方向側辺）に対向している。ただし、図３に示す例では、液体噴射ノズル１８Ｒｅ，１８Ｒ，１８Ｌの本数がそれぞれ１本ずつになっているが、それぞれの本数は複数本に変更することができる。各液体噴射ノズル１８は、金属材及び樹脂材のどちらによっても構成することができる。
【００４８】
本実施形態における液体噴射ノズル１８Ｒｅは、ステージ２０の長手方向側辺（すなわち、ステージ２０の上面に集積された媒体の長手方向側辺）の中央部よりもやや左寄りの位置に配置されている。また、液体噴射ノズル１８Ｒｅの図示せぬ液体噴射孔は、その位置からステージ２０の長手方向側辺の中央部に向けてインクを噴射するように、長手方向側辺に対して所定の角度に傾けられた状態で配置されている。
【００４９】
一方、液体噴射ノズル１８Ｒ，１８Ｌは、液体噴射ノズル１８Ｒｅと対向しているステージ２０の短手方向側辺の中央部に対して長手方向側辺から離間する方向の位置に配置されている。また、液体噴射ノズル１８Ｒ，１８Ｌの図示せぬ液体噴射孔は、その位置からステージ２０の長手方向側辺の方向に向けてインクを噴射するように、短手方向側辺に対して所定の角度に傾けられた状態で配置されている。
【００５０】
各液体噴射ノズル１８は、インクを噴射する複数の液体噴射孔を備えている。各液体噴射ノズル１８のそれぞれの液体噴射孔は、集積空間２４内に集積された最上層から最下層までの各媒体に対向するように、集積空間２４の上下方向（高さ方向）に延在するように配置されている。液体噴射ノズル１８は、非常事態の発生時に、液体タンク２１から送り出されたインクを液体噴射孔から媒体に向けて噴射する。
【００５１】
本実施形態１では、２つの液体タンク２１がガイド部材１７Ｒｅの後方に配置されている。以下、各液体タンク２１を区別する場合に、「液体タンク２１ａ」及び「液体タンク２１ｂ」と称する。
【００５２】
パイプ２２は、液体分岐部材２３を介して、液体タンク２１ａと液体噴射ノズル１８Ｒ，１８Ｌとを連結している。また、パイプ２２は、液体タンク２１ｂと液体噴射ノズル１８Ｒｅとを連結している。パイプ２２は、金属材及び樹脂材のどちらによっても構成することができる。
【００５３】
各液体タンク２１ａ，２１ｂは、非常事態の発生時に、インクをパイプ２２に送り出す。送り出されたインクは、パイプ２２内を流れる。その際に、液体分岐部材２３は、液体タンク２１ａから送り出されたインクの流れの方向を右方の液体噴射ノズル１８Ｒの方向と左方の液体噴射ノズル１８Ｌの方向に分岐させる。
【００５４】
液体分岐部材２３は、媒体を介して一方側と他方側とに対向して配置されている２つの液体噴射ノズル１８（ここでは、液体噴射ノズル１８Ｒ，１８Ｌ）までの距離が同距離になる位置に設けられている。すなわち、液体分岐部材２３は、液体分岐部材２３から液体噴射ノズル１８Ｒまでの距離と液体分岐部材２３から液体噴射ノズル１８Ｌまでの距離とが同じになる位置に、配置されている。
【００５５】
これにより、液体噴射機構９は、液体タンク２１ａに収納されたインクを共用している一方側の液体噴射ノズル１８（ここでは、右方の液体噴射ノズル１８Ｒ）と他方側の液体噴射ノズル１８（ここでは、左方の液体噴射ノズル１８Ｌ）のインクの噴射量がほぼ同量になるように、インクの噴射量を調整している。
【００５６】
なお、一方側の液体噴射ノズル１８（ここでは、右方の液体噴射ノズル１８Ｒ）と他方側の液体噴射ノズル１８（ここでは、左方の液体噴射ノズル１８Ｌ）とが２以上の同数ずつ設けられている場合であっても、液体分岐部材２３は、このような位置に、配置されているとよい。
【００５７】
また、媒体収納庫１２は、小型化及び軽量化することが望まれているため、液体タンク２１ａ，２１ｂを小型化することが望まれる。このような媒体収納庫１２は、貯蔵可能なインクの量が制限される。そのため、媒体収納庫１２は、限られた量のインクで、集積空間２４に収納された全ての媒体ＭＤに対して広い面積を効率よく汚損させることも望まれる。
【００５８】
図４に示すように、媒体収納庫１２は、集積空間２４の後方の比較的上方の位置に、搬送路Ｌｍｄ、フィードローラ３１、ゲートローラ３２、及び、ピックアップローラ３３を有している。
搬送路Ｌｍｄは、媒体が搬送される通路である。
フィードローラ３１は、媒体を搬送する搬送部材である。
ゲートローラ３２は、２枚以上の媒体が集積空間２４から繰り出されて搬送されることを防止する部材である。
ピックアップローラ３３は、集積空間２４に集積された集積媒体ＭＤのうち、最上位に集積されている媒体をフィードローラ３１の方に繰り出す部材である。
【００５９】
搬送路Ｌｍｄは、媒体通過口１４（図２参照）と集積空間２４との間に形成されている。
フィードローラ３１は、集積空間２４と搬送路Ｌｍｄとの間に配置されている。フィードローラ３１の周面の下端部分の位置は、集積媒体ＭＤのうち、最上位に集積されている媒体の高さとほぼ同じ位置に設定されている。
ゲートローラ３２は、フィードローラ３１と当接するように、フィードローラ３１の下方に配置されている。なお、ゲートローラ３２の同軸上には、軌跡３２ａで回転する図示せぬ舌片ローラが設けられている。
ピックアップローラ３３は、最上位に集積されている媒体の上面ＭＤｔに当接するように配置されている。
【００６０】
集積空間２４の周囲には、右方の液体噴射ノズル１８Ｒ、左方の液体噴射ノズル１８Ｌ（図３参照）、及び、後方の液体噴射ノズル１８Ｒｅが配置されている。各液体噴射ノズル１８は、長尺なパイプ状に形成されている。
【００６１】
右方の液体噴射ノズル１８Ｒは、集積空間２４の上下方向のほぼ全域に亘って延在するように、上下方向に配置されている。同様に、図示していないが、左方の液体噴射ノズル１８Ｌも、集積空間２４の上下方向のほぼ全域に亘って延在するように、上下方向に配置されている。一方、後方の液体噴射ノズル１８Ｒｅは、ゲートローラ３２と干渉しないように、ゲートローラ３２の直下の位置から集積空間２４の下端部分の位置に亘って延在するように、上下方向に配置されている。液体噴射機構９は、各液体噴射ノズル１８に対して、下から上方向にインクを送り込む。
【００６２】
各液体噴射ノズル１８は、ガイド部材１７の媒体ガイド面（内壁面）に形成された溝の内部に埋め込まれている。例えば、後方の液体噴射ノズル１８Ｒｅは、後記するパイプ部１８１（図５Ａ参照）が後方のガイド部材１７Ｒｅの媒体ガイド面Ｓｍｄに形成された溝１７１の内部に埋め込まれた構成になっている。後方のガイド部材１７Ｒｅの媒体ガイド面Ｓｍｄは、集積空間２４の後方部分を規定する面である。
【００６３】
右方の液体噴射ノズル１８Ｒは、略水平方向に向けてインクを噴射する（矢印ＡＲ参照）。同様に、図示していないが、左方の液体噴射ノズル１８Ｌも、略水平方向に向けてインクを噴射する。ただし、右方の液体噴射ノズル１８Ｒと左方の液体噴射ノズル１８Ｌとの噴射方向は、左右が逆向きの方向になっている。
【００６４】
これに対して、後方の液体噴射ノズル１８Ｒｅは、略水平方向（矢印Ａ１参照）と、真上方向（矢印Ａ２参照）とに向けてインクを噴射する。このような後方の液体噴射ノズル１８Ｒｅは、真上方向に向けてインクを噴射するため、空間ＤＦにもインクを噴射する。なお、「真上方向」とは、後記するパイプ部１８１（図５Ａ参照）の延在方向に近似する方向である。
【００６５】
なお、従来の媒体収納庫は、後方の液体噴射ノズル１８Ｒｅのパイプ部１８１が、真上方向に向けて噴射することができずに、略水平方向に向けてのみインクを噴射する構成になっていた。そして、従来の媒体収納庫は、フィードローラ３１やゲートローラ３２等の構成要素によって後方の液体噴射ノズル１８Ｒｅのパイプ部１８１を上方まで引き延ばすことができなかった。そのため、従来の媒体収納庫は、空間ＤＦにインクを噴射する構成になっていなかった。これに対し、本実施形態１に係る媒体収納庫１２は、空間ＤＦにインクを噴射する構成になっている。そのため、本実施形態１に係る媒体収納庫１２は、空間ＤＦに集積された媒体に対しても、インクを塗布して、汚損させることができる。
【００６６】
＜後方の液体噴射ノズルの構成＞
以下、図５Ａ及び図５Ｂ、並びに、図６Ａ及び図６Ｂを参照して、後方の液体噴射ノズル１８Ｒｅの構成につき説明する。図５Ａは、液体噴射ノズル１８Ｒｅの全体の構成を示す図である。図５Ｂは、液体噴射ノズル１８Ｒｅの主要部の構成を示す図である。図６Ａは、液体噴射ノズル１８Ｒｅの上端部分の構成を示す図である。図６Ｂは、液体噴射ノズル１８Ｒｅの内部の構成を示す図である。
【００６７】
図５Ａに示すように、後方の液体噴射ノズル１８Ｒｅは、パイプ部１８１、キャップ部１８２、及び、接続部１８３を有している。
パイプ部１８１は、インクが通流する部位である。
キャップ部１８２は、パイプ部１８１の上端部分に装着された部材である。
接続部１８３は、パイプ２２（図３参照）とパイプ部１８１とを接続する部材である。
【００６８】
パイプ部１８１は、長尺な中空のパイプ状に形成されている。本実施形態１では、パイプ部１８１は、円筒状に形成されている。パイプ部１８１は、ステンレススチール等の錆び難い金属材で構成されている。
【００６９】
キャップ部１８２は、パイプ部１８１の上端部分に装着可能な形状になっている。本実施形態１では、キャップ部１８２は、数センチ程度の長さの中空な円筒状に形成されている。キャップ部１８２は、周面から径方向に突出する２つの突出部１８２ａを備えている。突出部１８２ａは、後方の液体噴射ノズル１８Ｒｅが後方のガイド部材１７Ｒｅの溝１７１の内部に埋め込まれたときに、後方の液体噴射ノズル１８Ｒｅが動かないように、溝１７１の内壁面に当接する。
【００７０】
接続部１８３は、パイプ部１８１の下端部分に装着可能な形状になっている。本実施形態１では、接続部１８３は、数センチ程度の長さの中空な円筒を略Ｌ字状に折り曲げたＬ型パイプである。
【００７１】
キャップ部１８２及び接続部１８３は、金属材及び樹脂材のどちらによっても構成することができる。ただし、キャップ部１８２及び接続部１８３は、樹脂材で構成した場合に、成形し易いため、好ましくは、樹脂材で構成するとよい。
【００７２】
パイプ部１８１の側方部分には、複数の液体噴射孔ｈｏ１８１が形成されている。液体噴射孔ｈｏ１８１は、パイプ部１８１の延在方向に対して略直角に交差する方向（具体的には、略水平方向）に向けてインクを噴射させる開口部である。
【００７３】
一方、図５Ｂに示すように、キャップ部１８２の端部部分（パイプ部１８１の延在方向上に位置する部分）には、液体噴射孔ｈｏ１８２が形成されている。液体噴射孔ｈｏ１８２は、パイプ部１８１の延在方向に近似する方向である真上方向に向けてインクを噴射させる開口部である。
【００７４】
以下、液体噴射孔ｈｏ１８１と液体噴射孔ｈｏ１８２とを区別する場合に、液体噴射孔ｈｏ１８１を「第１液体噴射孔ｈｏ１８１」と称し、液体噴射孔ｈｏ１８２を「第２液体噴射孔ｈｏ１８２」と称する。
【００７５】
図５Ｂに示す例では、キャップ部１８２の端部部分には、１つの第２液体噴射孔ｈｏ１８２しか形成されていない。しかしながら、キャップ部１８２の端部部分には、複数の第２液体噴射孔ｈｏ１８２が形成されていてもよい。
【００７６】
図６Ａに示すように、後方の液体噴射ノズル１８Ｒｅは、第２液体噴射孔ｈｏ１８２の開口部分ｈｏ１８２ａが細長いスリット状に形成された構成になっている。本実施形態１では、第２液体噴射孔ｈｏ１８２の開口部分ｈｏ１８２ａは、縦幅Ｌが横幅Ｈよりも長くなるように設定されている。第２液体噴射孔ｈｏ１８２は、パイプ部１８１の内部に連通している。なお、第２液体噴射孔ｈｏ１８２の開口部分ｈｏ１８２ａは、例えば、円形状や楕円形状等の、他の形状にすることもできる。
【００７７】
第２液体噴射孔ｈｏ１８２は、パイプ部１８１の延在方向から見た場合に、パイプ部１８１に形成された第１液体噴射孔ｈｏ１８１のインクの噴射方向（矢印Ａ１参照）に対して任意の角度で交差する方向に延在するように、配置されている。
【００７８】
なお、本実施形態１では、集積空間２４に集積された集積媒体ＭＤの後方の側面（すなわち、後方のガイド部材１７Ｒｅの媒体ガイド面Ｓｍｄ（図４参照）によって規定される面）の延在方向は、突起部１８２ａの突出方向と略平行になるように設定されている。パイプ部１８１に形成された第１液体噴射孔ｈｏ１８１のインクの噴射方向（矢印Ａ１参照）は、集積空間２４に集積された集積媒体ＭＤの後方の側面に対して、所定の角度に傾斜して設定されている。
【００７９】
図６Ｂは、後方の液体噴射ノズル１８Ｒｅを縦方向に切断した切断面の一部分を、左方から見た構成を示している。図６Ｂに示すように、後方の液体噴射ノズル１８Ｒｅは、ゴムリング（Ｏリング）１９１及び押さえ板金（ワッシャ）１９２を介して、キャップ部１８２がパイプ部１８１の上端部分に装着され、さらに、抜け防止ピン１９３がキャップ部１８２をパイプ部１８１に固定した構成になっている。
【００８０】
図６Ｂに示すように、第２液体噴射孔ｈｏ１８２の内部には、パイプ部１８１の内径よりも狭い隙間ｈｏ１８２ｂが形成されている。第２液体噴射孔ｈｏ１８２は、隙間ｈｏ１８２ｂから開口部分ｈｏ１８２ａに進むにつれて、拡幅された形状になっている。
【００８１】
このような後方の液体噴射ノズル１８Ｒｅは、実験によれば、第２液体噴射孔ｈｏ１８２の開口部分ｈｏ１８２ａ（図６Ｂ参照）の面積が全ての第１液体噴射孔ｈｏ１８１の開口部分ｈｏ１８１ａ（図６Ｂ参照）の合計面積と同等になるように設定した場合に、限られた量のインクで、空間ＤＦ（図４参照）に集積された媒体を効率よく汚損させることが確認された。そのため、第２液体噴射孔ｈｏ１８２の開口部分ｈｏ１８２ａの面積は、全ての第１液体噴射孔ｈｏ１８１の開口部分ｈｏ１８１ａの合計面積と同等になるように設定されている（ただし、数％程度の任意の許容誤差を適用してもよい）。
【００８２】
かかる構成において、本実施形態１に係る媒体収納庫１２の液体噴射機構９は、後方の液体噴射ノズル１８Ｒｅからインクを噴射する。その際に、液体噴射機構９は、第１液体噴射孔ｈｏ１８１から略水平方向に向けてインクを噴射するとともに、第２液体噴射孔ｈｏ１８２から真上方向に向けてインクを噴射する。
【００８３】
第１液体噴射孔ｈｏ１８１から噴射されたインクは、各第１液体噴射孔ｈｏ１８１の真横に集積された媒体（すなわち、比較的上方の位置よりもやや下方の位置に集積された媒体）を汚損した後、自重で落下して、下方向に流れ、その結果、その位置よりも下方の位置に集積された媒体を汚損する。
【００８４】
一方、第２液体噴射孔ｈｏ１８２から噴射されたインクは、後方のガイド部材１７Ｒｅの媒体ガイド面Ｓｍｄと集積媒体ＭＤとの間を、最上位に集積されている媒体の上面ＭＤｔに向かって流れる。そして、インクは、第２液体噴射孔ｈｏ１８２よりも上方に集積された媒体（すなわち、比較的上方の位置（空間ＤＦ）に集積された媒体）を汚損した後、自重で落下して、下方向に流れ、その結果、その位置よりも下方の位置に集積された媒体を汚損する。
【００８５】
これにより、媒体収納庫１２は、比較的上方の位置（空間ＤＦ）に集積された媒体を含む、収納された全ての媒体ＭＤに対して、広い面積を汚損させることができる。
【００８６】
しかも、第２液体噴射孔ｈｏ１８２から噴射されたインクの大半は、集積空間２４の最下層の位置に落下するまでに、各媒体に付着する。そのため、媒体収納庫１２は、限られた量のインクで、収納された全ての媒体ＭＤに対して広い面積を効率よく汚損させることができる。
【００８７】
以上の通り、本実施形態１に係る媒体収納庫１２によれば、収納された全ての媒体ＭＤに対して広い面積を汚損させることができる。
【００８８】
［実施形態２］
本実施形態２では、後方の液体噴射ノズル１８Ｒｅの第２液体噴射孔ｈｏ１８２から噴射されたインクの流れる方向を誘導する構成になっている媒体収納庫１２Ａを提供する。
【００８９】
以下、図７Ａ及び図７Ｂを参照して、本実施形態２に係る媒体収納庫１２Ａの構成につき説明する。図７Ａ及び図７Ｂは、それぞれ、媒体収納庫１２Ａの構成を示す図である。図７Ａは、後方のガイド部材１７ＲｅＡの全体の構成を示しており、図７Ｂは、後方のガイド部材１７ＲｅＡの主要部の構成を示している。
【００９０】
図７Ａに示すように、本実施形態２に係る媒体収納庫１２Ａは、実施形態１に係る媒体収納庫１２（図４参照）と比較すると、後方のガイド部材１７Ｒｅの代わりに、後方のガイド部材１７ＲｅＡを用いる点で相違している。
【００９１】
後方のガイド部材１７ＲｅＡは、実施形態１に係る後方のガイド部材１７Ｒｅ（図４参照）と比較すると、溝１７１のキャップ部１８２の周囲に、液体誘導面Ｓｌｑが形成されている点で相違している。
【００９２】
液体誘導面Ｓｌｑは、後方の液体噴射ノズル１８Ｒｅの第２液体噴射孔ｈｏ１８２から噴射されたインクの流れる方向を誘導する面である。液体誘導面Ｓｌｑは、ゲートローラ３２（図４参照）と後方の液体噴射ノズル１８Ｒｅの第２液体噴射孔ｈｏ１８２との間に形成されている。
【００９３】
図７Ｂに示すように、液体誘導面Ｓｌｑは、第２液体噴射孔に対向する、噴射角度変更面Ｓｌｑ１と液体ガイド面Ｓｌｑ２とを備えている。
噴射角度変更面Ｓｌｑ１は、後方の液体噴射ノズル１８Ｒｅの第２液体噴射孔ｈｏ１８２から噴射されたインクの流れる方向を噴射方向とは異なる角度の方向に変更する面である。
液体ガイド面Ｓｌｑ２は、噴射されたインクの流れをガイドする面である。
【００９４】
噴射角度変更面Ｓｌｑ１の噴射角度変更面開始ラインＡｌｑ１ａは、第２液体噴射孔ｈｏ１８２の延在方向中心ラインｈｏ１８２ａと平行で後方に向かって長さＬ１の位置から前方に向かって角度θ１で形成されている。角度θ１は、４５°以上が望ましい。
【００９５】
また、液体ガイド面Ｓｌｑ２の液体ガイド面開始ラインＳｌｑ２ａは、第２液体噴射孔ｈｏ１８２の交差方向中心ラインｈｏ１８２ｂから左方に向かって長さＬ２の位置にあり、噴射角度変更面Ｓｌｑ１と直角になるように、形成されている。
【００９６】
このような媒体収納庫１２Ａは、後方の液体噴射ノズル１８Ｒｅの第２液体噴射孔ｈｏ１８２から矢印Ａ２の方向に噴射されたインクを噴射方向とは異なる角度に設定された液体誘導面Ｓｌｑに当てることで、インクの流れる方向を任意の角度の方向に変更することができる（矢印Ａ３参照）。
【００９７】
かかる構成において、媒体収納庫１２Ａは、第１液体噴射孔ｈｏ１８１と第２液体噴射孔ｈｏ１８２とからインクを噴射する。
【００９８】
第１液体噴射孔ｈｏ１８１から噴射されたインクは、実施形態１と同様に、各第１液体噴射孔ｈｏ１８１の真横に集積された媒体（すなわち、比較的上方の位置よりもやや下方の位置に集積された媒体）を汚損した後、自重で落下して、下方向に流れ、その結果、その位置よりも下方の位置に集積された媒体を汚損する。
【００９９】
一方、第２液体噴射孔ｈｏ１８２から噴射されたインクは、後方のガイド部材１７Ｒｅの媒体ガイド面Ｓｍｄと集積媒体ＭＤとの間を、最上位に集積されている媒体の上面ＭＤｔに向かって流れる。そして、インクは、第２液体噴射孔ｈｏ１８２よりも上方に集積された媒体（すなわち、比較的上方の位置（空間ＤＦ）に集積された媒体）を汚損した後、自重で落下して、下方向に流れ、その結果、その位置よりも下方の位置に集積された媒体を汚損する。ただし、このとき、インクは、流れる方向が液体誘導面Ｓｌｑによって変更されたため、落下の際に描く放物線が実施形態１の場合より広くなる。その結果、媒体収納庫１２Ａは、より広範囲にインクを集積媒体ＭＤに塗布することができる。
【０１００】
図８は、媒体収納庫１２Ａの効果を示す図である。図８（ａ）は、従来例の媒体収納庫の集積媒体ＭＤの汚損面積を示している。また、図８（ｂ）は、実施形態１に係る媒体収納庫１２の集積媒体ＭＤの汚損面積を示している。また、図８（ｃ）は、本実施形態２に係る媒体収納庫１２Ａの集積媒体ＭＤの汚損面積を示している。図８（ａ）〜図８（ｃ）に示すように、本実施形態２に係る媒体収納庫１２Ａは、集積媒体ＭＤの汚損面積を最も広くすることができる。特に、本実施形態２に係る媒体収納庫１２Ａは、従来例の媒体収納庫では汚損させることが困難な、比較的上方の位置に集積された媒体を広範囲に汚損させることができる。
【０１０１】
以上の通り、本実施形態２に係る媒体収納庫１２Ａによれば、収納された全ての媒体ＭＤに対して広い面積を、実施形態１に係る媒体収納庫１２よりも効率よく汚損させることができる。
【０１０２】
なお、本発明は、前記した実施形態に限定されることなく、本発明の要旨を逸脱しない範囲で種々の変更や変形を行うことができる。
【０１０３】
例えば、前記した実施形態は、本発明の要旨を分かり易く説明するために詳細に説明したものである。そのため、本発明は、必ずしも説明した全ての構成を備えるものに限定されるものではない。また、本発明は、ある実施形態の構成の一部を他の実施形態の構成に追加したり、置き換えたりすることができる。また、本発明は、ある実施形態の構成から一部の構成を削除することができる。
【０１０４】
また、例えば、前記した実施形態では、液体噴射機構を適用する媒体取扱装置が金融機関や流通機関で用いられる現金自動預け払い機（ＡＴＭ）やキャッシュディスペンサ（ＣＤ）等の現金取扱装置である場合を想定して説明している。しかしながら、本発明は、現金自動預け払い機（ＡＴＭ）やキャッシュディスペンサ（ＣＤ）等の現金取扱装置だけでなく、交通機関や流通機関で用いられている発券機や、その他の媒体取扱装置に利用することができる。
【０１０５】
また、例えば、右方の液体噴射ノズル１８Ｒや左方の液体噴射ノズル１８Ｌは、後方の液体噴射ノズル１８Ｒｅと同様に、第２液体噴射孔ｈｏ１８２を備える構成にすることができる。
【０１０６】
また、例えば、実施形態１，２の後方の液体噴射ノズル１８Ｒｅは、図９に示す液体噴射ノズル１８ＲｅＢのように変形することができる。図９は、変形例に係る液体噴射ノズル１８ＲｅＢの構成を示す図である。
図９に示すように、変形例に係る液体噴射ノズル１８ＲｅＢは、実施形態１，２の後方の液体噴射ノズル１８Ｒｅ（図５Ｂ参照）と比較して、キャップ部１８２をパイプ部１８１の上端部分に装着させずに、パイプ部１８１の上端部分を変形させている点で相違している。
変形例では、パイプ部１８１の上端部分は、径方向の両側から平行に押し潰された形状になっている。これにより、パイプ部１８１の上端部分は、潰し加工部１８４が形成されている。潰し加工部１８４の上端部分は、細長いスリット状に開口している。その開口部分は、第２液体噴射孔ｈｏ１８３として機能する。変形例では、第２液体噴射孔ｈｏ１８３は、実施形態１，２の第２液体噴射孔ｈｏ１８２と同様に、縦幅Ｌが横幅Ｈよりも長くなるように設定されている。
なお、液体噴射ノズル１８ＲｅＢは、潰し加工部１８４が形成されることによって、傾斜面１８５が形成されている。その傾斜面１８５には、第２液体噴射孔ｈｏ１８４が形成されている。これにより、変形例に係る液体噴射ノズル１８ＲｅＢは、実施形態１，２の液体噴射ノズル１８Ｒｅよりも斜め上方に噴射するインクの量を増やすことができる。
第２液体噴射孔ｈｏ１８３，ｈｏ１８４は、実施形態１，２の第２液体噴射孔ｈｏ１８２と同様に機能する。
【０１０７】
また、実施形態１，２の後方の液体噴射ノズル１８Ｒｅ（図６Ｂ参照）は、隙間ｈｏ１８２ｂから開口部分ｈｏ１８２ａに進むにつれて、インクの噴射方向が斜め方向に変更されるように、第２液体噴射孔ｈｏ１８２を形成してもよい。これにより、液体噴射機構９は、後方の液体噴射ノズル１８Ｒｅの第２液体噴射孔ｈｏ１８２から斜め上方向にインクを噴射することができるため、収納された全ての媒体ＭＤに対して広い面積をさらに効率よく汚損させることができる。なお、この場合、実施形態２で説明した液体誘導面Ｓｌｑは省略してもよい。
【符号の説明】
【０１０８】
１    現金取扱装置（媒体取扱装置）
２    上部ユニット
３    接客部
４    鑑別部
５    一時保留部
６    リジェクト庫
７    振分搬送部
８    下部ユニット
９，９Ａ    液体噴射機構
１０    受渡ガイド
１１    金庫
１２，１２Ａ    媒体収納庫
１３    取っ手部
１４    媒体通過口
１５    扉
１６    鍵
１７（１７Ｆ，１７Ｌ，１７Ｒ，１７Ｒｅ），１７ＲｅＡ    ガイド部材
１８（１８Ｆ，１８Ｌ，１８Ｒ，１８Ｒｅ），１８ＲｅＢ    液体噴射ノズル
１９    筺体
２０    ステージ
２１    液体タンク
２１ａ    左右ノズル用タンク
２１ｂ    後ノズル用タンク
２２    液体配送部材
２３    液体分岐部材
２４    空間（集積空間）
３１    フィードローラ
３２    ゲートローラ
３２ａ    軌跡
３３    ピックアップローラ
１７１    溝
１８１    パイプ部
１８２    キャップ部
１８２ａ    突出部
１８３    接続部
１８４    潰し加工部
１９１    ゴムリング（Ｏリング）
１９２    押さえ板金（ワッシャ）
１９３    抜け防止ピン
ＤＦ    空間
ｈｏ１８１    液体噴射孔（第１液体噴射孔）
ｈｏ１８２，ｈｏ１８３，ｈｏ１８４    液体噴射孔（第２液体噴射孔）
ｈｏ１８２ａ    延在方向中心ライン
ｈｏ１８２ｂ    交差方向中心ライン
Ｌｍｄ    搬送路
ＭＤ    集積媒体
ＭＤｔ    上面
Ｓｌｑ    液体誘導面
Ｓｌｑ１    噴射角度変更面
Ｓｌｑ１ａ    噴射角度変更面開始ライン
Ｓｌｑ２    液体ガイド面
Ｓｌｑ２ａ    液体ガイド面開始ライン
Ｓｍｄ    媒体ガイド面
θ１    角度
【図１】
0006631047.tif 000002
【図２】
0006631047.tif 000003
【図３】
0006631047.tif 000004
【図４】
0006631047.tif 000005
【図５Ａ】
0006631047.tif 000006
【図５Ｂ】
0006631047.tif 000007
【図６Ａ】
0006631047.tif 000008
【図６Ｂ】
0006631047.tif 000009
【図７Ａ】
0006631047.tif 000010
【図７Ｂ】
0006631047.tif 000011
【図８】
0006631047.tif 000012
【図９】
0006631047.tif 000013